(57)【要約】【課題】より安価に製造することのできる木造建築物における補強器具を提供する。【解決手段】木造建築物における基礎部１と、この基礎部１上に設けた土台２と、この土台２上に立設した柱部材３とに取付けるための補強器具であって、前記基礎部１と土台２と柱部材３とへの各取付け部４Ａ、４Ｂ、４Ｃに、ネジ部材５、６を挿通自在の挿通孔７を備えた第一の板部材４と、前記ネジ部材５、６における適数のネジ部材６の頭部６Ｈを押さえるための第二の板部材９を前記第一の板部材４に取付けるために、前記第一の板部材４に設けた穴７に挿通しナット部材１４によって前記第一の板部材４に予め固定された複数の固定ネジ１１とを備え、前記ネジ部材６の頭部６Ｈの高さと前記ナット部材１４の高さをほぼ等しく設けてなるものである。【選択図】　図１
0003097582.tif 000002
【実用新案登録請求の範囲】
【請求項１】
木造建築物における基礎部と、この基礎部上に設けた土台と、この土台上に立設した柱部材とに取付けるための補強器具であって、前記基礎部と土台と柱部材とへの各取付け部に、ネジ部材を挿通自在の挿通孔を備えた第一の板部材と、前記ネジ部材における適数のネジ部材の頭部を押さえるための第二の板部材を前記第一の板部材に取付けるために、前記第一の板部材に設けた穴に挿通しナット部材によって前記第一の板部材に予め締付け固定された複数の固定ネジとを備えてなることを特徴とする木造建築物における補強器具。
【請求項２】
請求項１に記載の木造建築物における補強器具において、前記ネジ部材の頭部の高さと前記ナット部材の高さをほぼ等しく設けてなることを特徴とする木造建築物における補強器具。
【請求項３】
請求項１叉は２に記載の木造建築物における補強器具において、前記固定ネジを挿通する前記穴に皿もみが形成してあることを特徴とする木造建築物における補強器具。
【請求項４】
請求項１、２叉は３に記載の木造建築物における補強器具において、前記第一の板部材はストレートのプレートよりなることを特徴とする木造建築物における補強器具。
【考案の詳細な説明】
【０００１】
【考案の属する技術分野】
本考案は、木造建築物における補強器具に係わり、さらに詳細には、より安価に構成することのできる補強器具に関するものである。
【０００２】
【従来の技術】
木造建築物における基礎部と、基礎部上に設けた土台と、この土台上に立設した柱部材とに取付けるための補強器具は公知である（例えば特許文献１参照）。
【特許文献１】
特許第３３６４４６６号公報
【０００３】
【考案が解決しようとする課題】
前記特許文献１に記載の従来の木造建築物における補強器具の構成は、図６、図７に示すとおりである。
すなわち、木造建築物における基礎部１と、この基礎部１上に設けた土台２と、この土台２上に立設した柱部材３とに取付けるために、前記基礎部１、土台２、柱部材３への取付け部４Ａ、４Ｂ、４Ｃを備えた第一の板部材４を備えており、この第一の板部材４の前記各取付け部４Ａ、４Ｂ、４Ｃには、前記基礎部１、土台２、柱部材３へ第一の板部材４を取付けるための複数のネジ部材５、６を挿通自在の挿通孔７がそれぞれ複数設けられている。
前記ネジ部材５には、第一の板部材４を固定するためのナット８が螺合してあり、かつ第一の板部材４における各取付け部４Ｂ、４Ｃに設けた前記挿通孔７には、第一の板部材４を固定するために、前記土台２、柱部材３に捩じ込み固定した前記ネジ部材６が挿通してある。
そして、前記ネジ部材６の頭部６Ｈを押さえるために第二の板部材９が設けられている。この第二の板材９は、頭部を前記第一の板材４に溶着した複数の固定ネジ１１のネジ部が前記第二の板部材９に設けた穴を貫通し、このネジ部にナット１２を螺合することにより、前記第二の板部材９は前記ネジ部材６の頭部６Ｈを押さえた状態でもって前記第一の板部材４に固定されている。
前述のごとき従来の構成においては、第一の板部材４に対して挿通孔７を加工する行程と、固定ネジ１１の頭部にフラッシュバットを行う行程とが必要であると共に、前記固定ネジ１１は頭部に小さな突出部を備えた構成が必要であるなど、全体として高価になりがちであり、さらなる改善が望まれている。
【０００４】
【課題を解決するための手段】
本考案は、前記従来の問題を改善するためになされたもので、木造建築物における基礎部と、この基礎部上に設けた土台と、この土台上に立設した柱部材とに取付けるための補強器具であって、前記基礎部と土台と柱部材とへの各取付け部に、ネジ部材を挿通自在の挿通孔を備えた第一の板部材と、前記ネジ部材における適数のネジ部材の頭部を押さえるための第二の板部材を前記第一の板部材に取付けるために、前記第一の板部材に設けた穴に挿通しナット部材によって前記第一の板部材に予め締付け固定された複数の固定ネジとを備えてなるものである。また本考案は、木造建築物における補強器具において、前記ネジ部材の頭部の高さと前記ナット部材の高さをほぼ等しく設けてなるものである。
また本考案は、木造建築物における補強器具において、前記固定ネジを挿通する前記穴に皿もみが形成してある。
また本考案は、木造建築物における補強器具において、前記第一の板部材はストレートのプレートよりなるものである。
【０００５】
【考案の実施の形態】
以下、図面を用いて本考案の実地形態について説明するに、前述した従来の構成と同一機能を資する構成部分には同一符号を付して重複した説明は省略する。本考案の実地形態においては、図１に示すように、固定ネジ１１を、補強部材としての第一の板部材４に溶接する構成に替えて、第一の板部材４に設けた穴１３に前記固定ネジ１１を挿通し、前記ネジ部材６の頭部６Ｈの高さとほぼ高さの等しいナット部材１４を前記固定ネジ１１に螺合することにより、前記固定ネジ１１は前記第一の板部材４に螺着固定してある。そして、この固定ネジ１１にナット１２を螺合することにより、頭部押さえ部材としての第二の板部材９によってネジ部材６の頭部６Ｈを押さえた状態に、前記第二の板部材９は固定されている。
上記構成によれば、第一の板部材４に対しては挿通孔７及び穴１３の穴加工を行えば良いものであって、固定ネジ１１を溶接する必要がないので、加工行程が少なくなり、より安価に製造することができるものである。
ところで、前記構成により、固定ネジ１１の頭部の存在により、柱部材３等と第一の板部材４との間に前記頭部の高さに相当する隙間が存在するが、図２に示すように、前記穴１３の部分に皿もみ１５を形成して、固定ネジ１１の頭部が上記皿もみ１５内に入り込むようにすることにより、前記隙間を小さく叉はなくすことができるものである。
前記土台２の長手方向の中間部分において柱部材３が立設してある部分に適用する構成としては、図３に示すように、第一の板部材４において基礎部１、土台２、に取付けるための、第一の板部材４の下部には第一の板部材４の長手方向に対して左右両側へ張り出した張り出し部１６を備えることが望ましい。
上記構成とすることにより、第一の板部材４の強度がより向上すると共に、基礎部１、土台２に対する取付けをより確実に行うことができるものである。
また、前記第一の板部材４の取付け部としては、図４に示すように、ストレートの構成とすることもできる。この構成においては、第一の板部材４は、例えば帯鋼材によって構成することができ、より安価な構成となるものである。
さらに、上記ストレートの構成とすることで、基礎部１、土台２、柱部材３の取付けだけでなく、増改築などによる一階の柱部材３と二階の柱部材３との柱部材３どうしの補強器具としても使用できるようになる。
また、前記第一の板部材４としては、図５に示すように、雌ネジ部を備えた構成とすることもできる。すなわち、例えば板部材４に直接雌ネジ部を形成する構成やナット１６を溶接する構成とすることもできる。
上記構成により、第二の板部材９をボルトによって第一の板部材４に取付けることができ、前述の実施例と同様の効果を奏するものである。
【０００６】
【考案の効果】
以上のごとき説明より明らかなように、本考案によれば第一の板部材に対してネジ部材を溶接することを省略でき、従来よりも安価に製造できるものである。
【０００７】
【図面の簡単な説明】
【図１】本考案の実施形態に係る木造建築物における補強器具の断面説明図である。
【図２】第二の実施形態に係る構成を示す断面説明図である。
【図３】第一の板部材の変更態様を示す説明図である。
【図４】第一の板部材の変更態様を示す説明図である。
【図５】第一の板部材の変更態様を示す説明図である。
【図６】従来の構成を示す斜視説明図である。
【図７】同上の主要部の断面説明図である。
【符号の説明】
１　　　基礎部
２　　　土台
３　　　柱部材
４　　　第一の板部材
５、６　ネジ部材
７　　　挿通孔
９　　　第二の板部材
１１　　固定ネジ
１３　　穴
１５　　皿もみ
１６　　張り出し部
【図１】
0003097582.tif 000003
【図２】
0003097582.tif 000004
【図３】
0003097582.tif 000005
【図４】
0003097582.tif 000006
【図５】
0003097582.tif 000007
【図６】
0003097582.tif 000008
【図７】
0003097582.tif 000009